(57)【特許請求の範囲】
【請求項１】
複数の無線基地局のそれぞれがカバーする通信エリアのそれぞれを示す複数のエリアデータを格納するエリアデータ格納部と、
前記複数の無線基地局の稼働状態を取得する稼働状態取得部と、
前記複数のエリアデータ及び前記複数の無線基地局の稼働状態に基づいて、前記複数の無線基地局の稼働状態及び前記複数の無線基地局の通信エリアを地図上にマッピングして表示させる表示データを生成する表示データ生成部と
を備え、
前記稼働状態取得部は、前記複数の無線基地局のそれぞれの生死状態を取得し、
前記表示データ生成部は、前記複数の無線基地局のそれぞれがカバーする複数の通信エリアであって一部の領域が他の通信エリアと重なる前記複数の通信エリアにより構成されるエリアにおいて、前記複数の無線基地局のうちの生状態の無線基地局によってカバーされているエリアと、前記生状態の無線基地局によってカバーされていないエリアとを異なる態様で表示させる前記表示データを生成する、
表示データ生成装置。
【請求項２】
前記表示データの生成指示を受け付ける指示受付部をさらに備え、
前記稼働状態取得部は、前記生成指示の受付に応じて前記複数の無線基地局の稼働状態を取得し、
前記表示データ生成部は、前記生成指示の受付に応じて前記エリアデータ格納部から取得した前記複数のエリアデータと、前記複数の無線基地局の稼働状態とに基づいて、前記表示データを生成する、請求項１に記載の表示データ生成装置。
【請求項３】
前記エリアデータ格納部は、前記複数の無線基地局のそれぞれについて、無線基地局に関連する基地局関連データと、前記無線基地局が設置された場所の地形データとに基づくシミュレーションを実行することによって生成されたエリアデータを格納する、請求項１又は２に記載の表示データ生成装置。
【請求項４】
前記表示データ生成部が生成した表示データを他の装置に送信する表示データ送信部
をさらに備える、請求項１から３のいずれか一項に記載の表示データ生成装置。
【請求項５】
複数の無線基地局の稼働状態を監視する稼働状態監視部
をさらに備え、
前記表示データ生成部は、前記稼働状態監視部によって稼働状態の変化が検出された場合に、前記表示データを生成する、請求項１から４のいずれか一項に記載の表示データ生成装置。
【請求項６】
コンピュータを、請求項１から５のいずれか一項に記載の表示データ生成装置として機能させるためのプログラム。
【発明の詳細な説明】
【技術分野】
【０００１】
本発明は、表示データ生成装置及びプログラムに関する。
【背景技術】
【０００２】
無線基地局によりカバーされる通信エリアの電波状況をシミュレートする電波伝搬シミュレータが知られていた（例えば、特許文献１参照）。
［先行技術文献］
［特許文献］
［特許文献１］特開２００５−２２３７３２号公報
【発明の概要】
【発明が解決しようとする課題】
【０００３】
電波伝搬シミュレータを用いることによって、複数の無線基地局によりカバーされる通信エリアを表示させる表示データを生成できるが、電波伝搬シミュレートには時間がかかる場合がある。処理に時間がかかるほど通信エリアの状況確認が遅滞する。例えば、大規模な停電や地震等の災害が発生した場合等には、複数の無線基地局によりカバーされる通信エリアの状況をより早く提供できることが望ましい。
【課題を解決するための手段】
【０００４】
本発明の第１の態様によれば、複数の無線基地局のそれぞれがカバーする通信エリアのそれぞれを示す複数のエリアデータを格納するエリアデータ格納部と、複数の無線基地局の稼働状態を取得する稼働状態取得部と、複数のエリアデータ及び複数の無線基地局の稼働状態に基づいて、複数の無線基地局の稼働状態及び複数の無線基地局の通信エリアを地図上にマッピングして表示させる表示データを生成する表示データ生成部とを備える表示データ生成装置が提供される。
【０００５】
上記表示データ生成装置によれば、稼働状態取得部は、複数の無線基地局のそれぞれの生死状態を取得してよく、表示制御部は、複数の無線基地局によってカバーされる通信エリアのうち、生状態の無線基地局によってカバーされているエリアと、生状態の無線基地局によってカバーされていないエリアとを異なる態様で表示させる表示データを生成してよい。また、上記表示データ生成装置は、表示データの生成指示を受け付ける指示受付部をさらに備えてよく、稼働状態取得部は、生成指示の受付に応じて複数の無線基地局の稼働状態を取得してよく、表示データ生成部は、生成指示の受付に応じてエリアデータ格納部から取得した複数のエリアデータと、複数の無線基地局の稼働状態とに基づいて、表示データを生成してよい。
【０００６】
また、上記表示データ生成装置によれば、エリアデータ格納部は、複数の無線基地局のそれぞれについて、無線基地局に関連する基地局関連データと、無線基地局が設置された場所の地形データとに基づくシミュレーションを実行することによって生成されたエリアデータを格納してよい。また、上記表示データ生成装置は、表示データ生成部が生成した表示データを他の装置に送信する表示データ送信部をさらに備えてよい。上記表示データ生成装置は、複数の無線基地局の稼働状態を監視する稼働状態監視部をさらに備えてよく、表示データ生成部は、稼働状態監視部によって稼働状態の変化が検出された場合に、表示データを生成してよい。
【０００７】
本発明の第２の態様によれば、コンピュータを、上記表示データ生成装置として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】表示データ生成装置の通信環境の一例を概略的に示す。
【図２】表示データ生成装置の機能構成の一例を概略的に示す。
【図３】表示データ生成装置により生成された表示データに基づく通信端末による表示例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、表示データ生成装置１００の通信環境の一例を概略的に示す。本実施形態に係る表示データ生成装置１００は、複数の無線基地局２０によってカバーされる通信エリアを地図上にマッピングして表示させる表示データを生成する。表示データ生成装置１００は、生成した表示データを通信端末５０に送信することによって、通信端末５０に、複数の無線基地局２０によってカバーされる通信エリアを地図上にマッピングして表示させてよい。
【００１２】
表示データ生成装置１００と通信端末５０とはネットワーク１０を介して通信接続される。ネットワーク１０は、例えば、インターネットである。また、ネットワーク１０は、社内ネットワーク等の専用網であってもよい。通信端末５０は、通信機能及びディスプレイを備えていればどのような端末であってもよい。例えば、通信端末５０は、ＰＣ（Ｐｅｒｓｏｎａｌ  Ｃｏｍｐｕｔｅｒ）、スマートフォン等の携帯電話及びタブレット端末等である。
【００１３】
表示データ生成装置１００は、複数の無線基地局２０のそれぞれがカバーする通信エリアのそれぞれを示す複数のエリアデータを予め格納しておく。エリアデータは、対応する通信エリアの範囲を示すデータであれば、どのようなデータであってもよい。エリアデータは、例えば、無線基地局２０の位置を中心とした半径を含む。また、エリアデータは、無線基地局２０からの各方角に対する通信可能距離を含んでもよい。また、エリアデータは、無線基地局２０の位置を基準とした通信エリアを示すエリア画像を含んでもよい。
【００１４】
表示データ生成装置１００は、例えば、電波伝搬シミュレータを備える他の装置が、電波伝搬シミュレートを実行することによって生成したエリアデータを、当該他の装置から受信して格納する。また、表示データ生成装置１００は、自らが電波伝搬シミュレートを実行することによって生成したエリアデータを、格納してもよい。
【００１５】
表示データ生成装置１００は、複数の無線基地局２０の稼働状態を取得する。無線基地局２０の稼働状態は、例えば、無線基地局２０が生状態であるか、死状態であるかを示す生死状態を含む。生状態とは、無線基地局２０が無線通信サービスを提供できる状態であってよく、死状態とは、無線基地局２０が無線通信サービスを提供できない状態であってよい。無線基地局２０は、例えば、災害等の発生によって、無線基地局２０への電力供給が停止されたり、無線基地局２０が故障したりすることによって死状態となる。
【００１６】
表示データ生成装置１００は、例えば、表示データ生成装置１００の管理者１０２によって入力された複数の無線基地局２０の稼働状態を取得する。管理者１０２は、例えば、地震等の災害が発生した場合等に、複数の無線基地局２０の稼働状態を管理する管理装置によって提供される無線基地局２０の稼働状態を閲覧して、表示データ生成装置１００に入力する。
【００１７】
また、表示データ生成装置１００は、複数の無線基地局２０の稼働状態を管理する基地局情報管理装置３０から、複数の無線基地局２０の稼働状態を受信してもよい。表示データ生成装置１００と基地局情報管理装置３０とは、ネットワーク１０を介して通信してよい。
【００１８】
表示データ生成装置１００は、例えば、地震等の災害が発生した場合に、災害発生後に取得した複数の無線基地局２０の稼働状態と、予め格納した複数のエリアデータとに基づいて、複数の無線基地局２０の稼働状態及び複数の無線基地局２０の通信エリアを地図上にマッピングして表示させる表示データを生成して、通信端末５０に送信する。これにより、地震等の災害が発生した後にシミュレートを実行する場合に比べて短時間で、通信エリアの稼働状態を、通信端末５０を使用する使用者５２等に報知することができる。
【００１９】
図２は、表示データ生成装置１００の機能構成の一例を概略的に示す。表示データ生成装置１００は、エリアデータ受信部１１２、シミュレーション実行部１１４、エリアデータ格納部１２２、指示受付部１２４、エリアデータ取得部１２６、稼働状態取得部１３２、表示データ生成部１４０、表示データ送信部１４２、表示部１４４及び稼働状態監視部１５０を備える。なお、表示データ生成装置１００がこれらのすべての構成を備えることは必須とは限らない。
【００２０】
エリアデータ受信部１１２は、複数の無線基地局２０のそれぞれがカバーする通信エリアのそれぞれを示す複数のエリアデータを受信する。エリアデータ受信部１１２は、例えば、電波伝搬シミュレータを備える他の装置が生成した複数のエリアデータを、当該他の装置から受信する。
【００２１】
シミュレーション実行部１１４は、電波伝搬シミュレートを実行することによって、複数の無線基地局２０のそれぞれがカバーする通信エリアのそれぞれを示す複数のエリアデータを生成する。シミュレーション実行部１１４は、エリアデータを生成することができれば、どのような電波伝搬シミュレートを用いてもよい。
【００２２】
例えば、シミュレーション実行部１１４は、無線基地局２０に関連する基地局関連データと、無線基地局２０が設置された場所の地形データとに基づく電波伝搬シミュレートを実行することによってエリアデータを生成する。基地局関連データは、例えば、無線基地局２０の出力電力、アンテナの種類及び角度等を含む。
【００２３】
エリアデータ格納部１２２は、複数の無線基地局のそれぞれがカバーする通信エリアのそれぞれを示す複数のエリアデータを格納する。エリアデータ格納部１２２は、例えば、エリアデータ受信部１１２が受信した複数のエリアデータを格納する。また、エリアデータ格納部１２２は、シミュレーション実行部１１４によって生成された複数のエリアデータを格納してもよい。
【００２４】
指示受付部１２４は、表示データの生成指示を受け付ける。指示受付部１２４は、全国を対象とした表示データの生成指示を受け付けてよい。また、指示受付部１２４は、任意の地域を指定した表示データの生成指示を受け付けてよい。例えば、指示受付部１２４は、関東地方及び東北地方等の地方単位、都道府県単位、州単位及び群単位等で生成指示を受け付ける。
【００２５】
指示受付部１２４は、例えば、表示データ生成装置１００が備えるキーボード及びマウス等の入力デバイスに対する操作によって入力された表示データの生成指示を受け付ける。また、指示受付部１２４は、他の装置から表示データの生成指示を受信してもよい。
【００２６】
エリアデータ取得部１２６は、エリアデータ格納部１２２から複数のエリアデータを取得する。エリアデータ取得部１２６は、指示受付部１２４による表示データの生成指示の受け付けに応じて、エリアデータ格納部１２２から複数のエリアデータを取得してよい。
【００２７】
エリアデータ取得部１２６は、指示受付部１２４が全国を対象とした表示データの生成指示を受け付けた場合、全国の無線基地局２０のエリアデータをエリアデータ格納部１２２から取得してよい。また、エリアデータ取得部１２６は、指示受付部１２４が、任意の地域を指定した表示データの生成指示を受け付けた場合、指定された地域に含まれる無線基地局２０のエリアデータをエリアデータ格納部１２２から取得してよい。
【００２８】
稼働状態取得部１３２は、複数の無線基地局２０の稼働状態を取得する。稼働状態取得部１３２は、指示受付部１２４による表示データの生成指示の受け付けに応じて、複数の無線基地局２０の稼働状態を取得してよい。稼働状態取得部１３２は、指示受付部１２４が全国を対象とした表示データの生成指示を受け付けた場合、全国の無線基地局２０の稼働状態を取得してよい。また、稼働状態取得部１３２は、指示受付部１２４が、任意の地域を指定した表示データの生成指示を受け付けた場合、指定された地域に含まれる無線基地局２０の稼働状態を取得してよい。
【００２９】
稼働状態取得部１３２は、管理者１０２によって入力された複数の無線基地局２０の稼働状態を取得してよい。また、稼働状態取得部１３２は、複数の無線基地局２０の稼働状態を管理する基地局情報管理装置３０から、複数の無線基地局２０の稼働状態を受信してもよい。
【００３０】
表示データ生成部１４０は、エリアデータ取得部１２６が取得した複数のエリアデータ及び稼働状態取得部１３２が取得した複数の無線基地局２０の稼働状態に基づいて、複数の無線基地局２０の稼働状態及び複数の無線基地局２０の通信エリアを地図上にマッピングして表示させる表示データを生成する。表示データ生成部１４０は、例えば、複数の無線基地局２０によってカバーされる通信エリアのうち、生状態の無線基地局２０によってカバーされているエリアと、生状態の無線基地局２０によってカバーされていないエリアとを異なる態様で表示させる表示データを生成する。
【００３１】
表示データ送信部１４２は、表示データ生成部１４０が生成した表示データを送信する。表示データ送信部１４２は、例えば、ネットワーク１０を介して通信端末５０に表示データを送信する。表示データ送信部１４２は、通信端末５０から受信した表示データの送信要求に応答して、表示データを通信端末５０に送信してよい。
【００３２】
表示部１４４は、表示データ生成部１４０が生成した表示データに従って、複数の無線基地局２０の稼働状態及び複数の無線基地局２０の通信エリアを地図上にマッピングして表示する。表示データは、例えば、地図データと、地図データ上に配置された、複数の無線基地局２０によりカバーされる通信エリアを示すエリア画像とを含む。エリア画像は、複数の無線基地局２０のうちの生状態の無線基地局２０によってカバーされているエリアと、当該エリアとは異なる態様を有する、生状態の無線基地局２０によってカバーされていないエリアとを含んでよい。
【００３３】
また、表示データは、複数の無線基地局２０によりカバーされる通信エリアを示すエリア画像と、通信エリアの位置を示す位置情報とを含んでもよい。この場合、表示部１４４は、表示データに含まれる位置情報に従って、エリア画像を地図データ上に配置して、表示してよい。表示部１４４は、自らが有する地図データを用いてよい。また、表示部１４４は、地図データをインターネット上で提供する地図データ提供装置から受信した地図データを用いてもよい。
【００３４】
稼働状態監視部１５０は、複数の無線基地局２０の稼働状態を監視する。稼働状態監視部１５０は、基地局情報管理装置３０が管理する複数の無線基地局２０の稼働状態を監視してよい。なお、稼働状態監視部１５０は、複数の無線基地局２０と通信することによって、複数の無線基地局２０の稼働状態を監視してもよい。
【００３５】
稼働状態監視部１５０は、全国の無線基地局２０の稼働状態の変化を監視してよい。また、稼働状態監視部１５０は、予め指定された地域に含まれる無線基地局２０の稼働状態の変化を監視してもよい。
【００３６】
稼働状態監視部１５０は、複数の無線基地局２０のうちの少なくとも一つについて、稼働状態の変化を検出した場合に、稼働状態が変化した基地局を識別する基地局識別情報と、稼働状態の変化とを表示データ生成部１４０に通知する。
【００３７】
表示データ生成部１４０は、稼働状態監視部１５０から基地局識別情報及び稼働状態の変化の通知を受け付けた場合に、変化後の稼働状態に基づいて表示データを生成してよい。これにより、複数の無線基地局２０のうちのいずれかの稼働状態が変化した場合に、変化後の稼働状態を迅速に提供することができる。なお、表示データ生成部１４０は、稼働状態の変化の通知を受け付けた場合に、新たに表示データを生成してよい。また、表示データ生成部１４０は、通知を受け付ける以前に表示データを生成していた場合、生成していた表示データを更新することによって、稼働状態変化後の表示データを生成してもよい。
【００３８】
図３は、表示データ生成装置１００により生成された表示データに基づく通信端末５０による表示例を概略的に示す。図３は、無線基地局２１０、無線基地局２１２、無線基地局２１４及び無線基地局２１６の稼働状態及び無線基地局２１０、無線基地局２１２、無線基地局２１４及び無線基地局２１６によりカバーされる通信エリア２２０を地図データ２０２上にマッピングして表示した場合の表示例を示す。
【００３９】
表示データは、地図データ２０２と、無線基地局２１０、無線基地局２１２、無線基地局２１４及び無線基地局２１６のそれぞれに対応する基地局アイコンと、無線基地局２１０、無線基地局２１２、無線基地局２１４及び無線基地局２１６のそれぞれの位置情報と、通信エリア２２０に対応するエリア画像とを含んでよい。
【００４０】
通信端末５０は、地図データ２０２上における、無線基地局２１０、無線基地局２１２、無線基地局２１４及び無線基地局２１６の位置情報が示す位置に基地局アイコンを配置してよい。また、通信端末５０は、無線基地局２１０、無線基地局２１２、無線基地局２１４及び無線基地局２１６の位置情報を基準として、通信エリア２２０に対応するエリア画像を配置してよい。
【００４１】
なお、表示データは通信エリア２２０に位置情報を含んでもよく、通信端末５０は、通信エリア２２０の位置情報に従って、通信エリア２２０に対応するエリア画像を配置してもよい。また、通信端末５０は、基地局アイコンは配置せず、エリア画像のみを配置してもよい。
【００４２】
通信エリア２２０は、生状態の無線基地局によってカバーされる生状態エリア２２２と、生状態の無線基地局によってカバーされない死状態エリア２２４とを含んでよい。図３では、無線基地局２１０、無線基地局２１２及び無線基地局２１４が生状態であり、無線基地局２１６が死状態である場合の通信エリア２２０を例示している。
【００４３】
図３に示すように、表示データ生成装置１００が生成した表示データは、生状態エリア２２２と死状態エリア２２４とを異なる態様で表示させてよい。図３では、生状態エリア２２２と死状態エリア２２４とに異なるハッチングを施した態様で表示させる場合を例示しているが、これに限らない。表示データは、異なる態様で表示させることができれば、どのような態様を採用してもよい。例えば、表示データは、生状態エリア２２２と死状態エリア２２４とを異なる色で表示させる。
【００４４】
このように、表示データ生成装置１００が、複数の無線基地局によりカバーされる通信エリアのうち、生状態の無線基地局によってカバーされるエリアと、生状態の無線基地局によってカバーされないエリアとを異なる態様で表示させることにより、本来カバーされているべき通信エリアのうち、いずれのエリアが現在カバーされていないかを容易に把握させることができる。これにより、例えば、死状態の無線基地局が複数存在する場合に、本来カバーされるべき通信エリアの中で、現在カバーされていない複数のエリアの位置及び範囲を容易に比較させることができ、死状態の複数の無線基地局に対する修理順等の対応の優先度を判断する材料を提供することができる。
【００４５】
なお、表示データ生成装置１００が生成した表示データは、無線基地局２１０、無線基地局２１２、無線基地局２１４及び無線基地局２１６の稼働状態及び無線基地局２１０、無線基地局２１２、無線基地局２１４及び無線基地局２１６の通信エリア２２０を地図データ２０２上にマッピングして表示させることができれば、他のどのような構造を備えてもよい。
【００４６】
例えば、表示データは、地図データ２０２を含まず、任意の地図データ上に通信エリア２２０を配置して表示させる。表示データは、無線基地局２１０、無線基地局２１２、無線基地局２１４及び無線基地局２１６の位置情報を含むことによって、任意の地図データ上に通信エリア２２０を配置して表示させてよい。また、表示データは、通信エリア２２０の位置情報を含むことによって、任意の地図データ上に通信エリア２２０を配置して表示させてもよい。例えば、通信端末５０は、予め格納していた地図データ２０２上に通信エリア２２０を配置して表示する。また、通信端末５０は、地図データ提供装置からインターネットを介して受信した地図データ２０２上に通信エリア２２０を配置して表示してもよい。
【００４７】
また、例えば、表示データは、複数の無線基地局２０のそれぞれの通信エリアを示す複数のエリア画像と、複数のエリア画像のそれぞれに対応する無線基地局２０の稼働状態とを対応付けた構造を有してもよい。この場合、通信端末５０は、複数のエリア画像を合成し、合成したエリア画像のうち、生状態のエリア画像と、生状態のエリア画像以外のエリアとを異なる態様としたエリア画像を生成して、表示してよい。
【００４８】
また、例えば、表示データは、通信エリア２２０に対応するエリア画像を含むのではなく、通信エリア２２０を描画するために用いる描画データを含んでもよい。通信端末５０は、表示データに含まれる描画データに従って、通信エリア２２０を描画してよい。さらに、上記説明は、地震などの災害が発生したときの無線基地局の生死状態の通信エリアの表示についての説明であるが、本発明はこれに限るものでなく、例えば、新規の無線基地局の開設にともなう通信エリア状況の確認にも使用できる。つまり、新規に無線基地局を開設した際に、隣接する無線基地局同士の通信エリアを図３のように表示することで、通信エリアの変化を認識できるので、新規に無線基地局を解説した際の通信エリアの状況をより早く提供できる。
【００４９】
以上の説明において、表示データ生成装置１００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、表示データ生成装置１００として機能してもよい。プログラムは、コンピュータ読み取り可能な媒体又はネットワークに接続された記憶装置から、表示データ生成装置１００の少なくとも一部を構成するコンピュータにインストールされてよい。
【００５０】
コンピュータにインストールされ、コンピュータを本実施形態に係る表示データ生成装置１００として機能させるプログラムは、ＣＰＵ等に働きかけて、コンピュータを、表示データ生成装置１００の各部としてそれぞれ機能させる。これらのプログラムに記述された情報処理は、コンピュータに読込まれることにより、ソフトウエアと表示データ生成装置１００のハードウエア資源とが協働した具体的手段として機能する。
【００５１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５２】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００５３】
１０  ネットワーク、２０  無線基地局、３０  基地局情報管理装置、５０  通信端末、５２  使用者、１００  表示データ生成装置、１０２  管理者、１１２  エリアデータ受信部、１１４  シミュレーション実行部、１２２  エリアデータ格納部、１２４  指示受付部、１２６  エリアデータ取得部、１３２  稼働状態取得部、１４０  表示データ生成部、１４２  表示データ送信部、１４４  表示部、１５０  稼働状態監視部、２０２  地図データ、２１０  無線基地局、２１２  無線基地局、２１４  無線基地局、２１６  無線基地局、２２０  通信エリア、２２２  生状態エリア、２２４  死状態エリア
【要約】
【課題】電波伝搬シミュレートには時間がかかる場合があったが、特に、地震等の災害が発生した場合等には、災害時のエリアマップをより早く提供できることが望ましい。
【解決手段】複数の無線基地局のそれぞれがカバーする通信エリアのそれぞれを示す複数のエリアデータを格納するエリアデータ格納部と、複数の無線基地局の稼働状態を取得する稼働状態取得部と、複数のエリアデータ及び複数の無線基地局の稼働状態に基づいて、複数の無線基地局の稼働状態及び複数の無線基地局の通信エリアを地図上にマッピングして表示させる表示データを生成する表示データ生成部とを備える表示データ生成装置を提供する。
【選択図】図２【図１】
0005632553.tif 000002
【図２】
0005632553.tif 000003
【図３】
0005632553.tif 000004